(57)【要約】【課題】  送電線に過大な張力がかかって、鉄塔などが損傷や倒壊するのを防止する。【解決手段】  一端部Ｇ１側に送電線Ｌが連結された碍子Ｇの他端部Ｇ２側に配設される送電線免震装置１であって、所定の外力がかかると破断する弱点部２５と、弱点部２５が破断すると作動して伸長し、送電線Ｌの弛み度を増加させるダンパ３と、を備える。【選択図】  図１
2016149829.tif 000002
【特許請求の範囲】
【請求項１】
一端部側に送電線が連結された碍子の他端部側に配設される送電線免震装置であって、
所定の外力がかかると破断する弱点部と、
前記弱点部が破断すると作動して伸長し、前記送電線の弛み度を増加させるダンパと、
を備えることを特徴とする送電線免震装置。
【請求項２】
前記ダンパの両端部が前記弱点部によって保持され、前記弱点部が破断することで前記ダンパが伸長する、
ことを特徴とする請求項１に記載の送電線免震装置。
【請求項３】
前記弱点部は、前記ダンパに対して着脱自在となっている、
ことを特徴とする請求項２に記載の送電線免震装置。
【発明の詳細な説明】
【技術分野】
【０００１】
この発明は、送電線の碍子の端部側に配設される送電線免震装置に関し、特に、送電線に過大な張力がかかって鉄塔などが倒壊するのを防止する送電線免震装置に関する。
【背景技術】
【０００２】
送電線は、碍子を介して鉄塔などに絶縁された状態で保持されており、碍子には、長幹碍子と懸垂碍子とが存在する。また、送電線には、鋼芯アルミより線が使用され、鋼芯で強度が確保されており、送電線にかかる張力・外力は、碍子などを介して鉄塔などに伝わるようになっている。
【０００３】
また、地震によって碍子が折損してしまうことを防止する高電圧用碍子設備が知られている（例えば、特許文献１参照。）。この高電圧用碍子設備は、架台と、架台上に鉛直方向に向けて立設された長尺状の碍子と、を備え、架台と碍子の下端との間に、水平面内の振動を免震化する免震装置が設けられているものである。
【先行技術文献】
【特許文献】
【０００４】
【特許文献１】特開２００６−２１００７４号公報
【発明の概要】
【発明が解決しようとする課題】
【０００５】
ところで、上記のような送電線の配設状態において地震が発生したり、降雪で送電線に着雪が生じたり、あるいは、暴風雨が発生して、送電線が激しく揺れると、送電線や碍子に大きな張力・外力が負荷される。そして、過大な張力・外力が加わると、例えば、ジャンパー線の振れ止めに使用されている長幹碍子や、変電所構内に設置されている碍子などが破断・損傷するばかりでなく、送電線にかかった大きな張力・外力が鉄塔などに伝わり、鉄塔などが損傷や倒壊するおそれがあった。
【０００６】
また、特許文献１の高電圧用碍子設備では、地震による碍子の破損を防止可能ではあるが、送電線に過大な張力がかかった場合に、鉄塔などが損傷や倒壊するのを防止することはできない。
【０００７】
そこで、この発明は、送電線に過大な張力がかかって、鉄塔などが損傷や倒壊するのを防止可能な送電線免震装置を提供することを目的とする。
【課題を解決するための手段】
【０００８】
上記課題を解決するために、請求項１の発明は、一端部側に送電線が連結された碍子の他端部側に配設される送電線免震装置であって、所定の外力がかかると破断する弱点部と、前記弱点部が破断すると作動して伸長し、前記送電線の弛み度を増加させるダンパと、を備えることを特徴とする。
【０００９】
この発明によれば、例えば、鉄塔の腕金の先端部と、送電線を連結する碍子との間に、この送電線免震装置を設置する。そして、地震などが発生して所定の外力が送電線および送電線免震装置にかかると、弱点部が破断してダンパが作動し、送電線の弛み度（垂れ下がり量）が増加する。
【００１０】
請求項２の発明は、請求項１に記載の送電線免震装置において、前記ダンパの両端部が前記弱点部によって保持され、前記弱点部が破断することで前記ダンパが伸長する、ことを特徴とする。
【００１１】
請求項３の発明は、請求項２に記載の送電線免震装置において、前記弱点部は、前記ダンパに対して着脱自在となっている、ことを特徴とする。
【発明の効果】
【００１２】
請求項１の発明によれば、地震などが発生して所定の外力が送電線および送電線免震装置にかかると、ダンパが作動して送電線の弛み度が増加する。そして、送電線の弛み度が増すと、送電線を伝わる力（張力）が低下するため、送電線に過大な張力がかかって鉄塔などが損傷や倒壊するのを防止・抑制することが可能となる。
【００１３】
請求項２の発明によれば、ダンパの両端部が弱点部によって保持されて、弱点部が破断するとダンパが伸長するだけであるため、簡易な構成にすることができる。この結果、小型化、軽量化が可能となり、また、製作費を低減することが可能となる。
【００１４】
請求項３の発明によれば、弱点部がダンパに対して着脱自在なため、弱点部が破断しても、ダンパを再利用することができる。つまり、弱点部のみを取り替えればよいため、経済性が高まる。
【図面の簡単な説明】
【００１５】
【図１】この発明の実施の形態１に係る送電線免震装置を示す正面図である。
【図２】図１の送電線免震装置のダンパが作動した状態を示す正面図である。
【図３】この発明の実施の形態２に係る送電線免震装置を示す正面図である。
【発明を実施するための形態】
【００１６】
以下、この発明を図示の実施の形態に基づいて説明する。
【００１７】
（実施の形態１）
図１は、この実施の形態に係る送電線免震装置１を示す正面図である。この送電線免震装置１は、一端部Ｇ１側に送電線Ｌが連結された碍子Ｇの他端部Ｇ２側に配設される免震装置であり、主として、取付金具２とダンパ３とを備えている。ここで、送電線Ｌは、鉄塔間や、変電所の鉄構と鉄塔との間等に架設されている。
【００１８】
取付金具２は、平面形状が略「エ」字状の板材で、第１の水平部２１に第１のＵ字ボルト２３が配設され、第２の水平部２２に第２のＵ字ボルト２４が配設されている。そして、第１のＵ字ボルト２３を介して、鉄塔の腕金の先端部に取り付けられたプレートＰなどに接続・連結され、第２のＵ字ボルト２４を介して、碍子Ｇの他端部Ｇ２に接続されるようになっている。
【００１９】
また、取付金具２の垂直部２５が、弱点部として機能し、所定の外力がかかると破断するものである。すなわち、垂直部２５の両側縁にそれぞれ、切り欠き状のノッチ２ａ、２ａが形成され、所定の外力がかかると、このノッチ２ａ、２ａを起点として垂直部２５が破断するようになっている。具体的には、送電線Ｌにかかる張力が所定値以上になると、ノッチ２ａ、２ａから破断するようにノッチ２ａ、２ａの形状、位置が設定され、例えば、ノッチ２ａ、２ａからの破断に要する破断力（所定値）は、送電線の耐張力の概ね６０〜７０％に設定されている。
【００２０】
また、鉄塔の腕金・アームや碍子Ｇの保護を優先させる場合には、ノッチ２ａ、２ａからの破断に要する破断力を、腕金や碍子Ｇの耐張力よりも小さく設定する。同様に、変電所構内で碍子Ｇの保護を優先させる場合には、ノッチ２ａ、２ａからの破断に要する破断力を、碍子Ｇの耐張力よりも小さく設定する。このようにして、ノッチ２ａ、２ａからの破断に要する破断力を、保護対象の耐張力よりも小さく設定することで、保護対象に過大な張力・外力がかかって損傷等する前に、ノッチ２ａ、２ａから垂直部２５が破断するようにするものである。
【００２１】
そして、このような破断力で破断するようにノッチ２ａ、２ａの形状、位置が設定され、必要な破断力に応じて、図１に示すように、２つのノッチ２ａ、２ａを対向（近接）して設けたり、２つのノッチ２ａ、２ａをずらして（離隔して）設けたりする。
【００２２】
ダンパ３は、垂直部（弱点部）２５が破断すると作動して伸長し、送電線Ｌの弛み度を増加させるダンパである。すなわち、この実施の形態では、水平部２１、２２の両端部同士を連結するように２体取り付けられている。このダンパ３は、筒状のシリンダケース３１と、シリンダケース３１内に配設されたコイルスプリング３２とロッド３３とを備えている。ロッド３３の自由端部側は、シリンダケース３１の一端部から突出し、第１の水平部２１に連結され、シリンダケース３１の他端部は、第２の水平部２２に連結されている。
【００２３】
このようにして、平常時（非作動時）には、ダンパ３の両端部（ロッド３３の自由端部とシリンダケース３１の他端部）が、水平部２１、２２を介して垂直部（弱点部）２５によって保持されている。また、ロッド３３のシリンダケース３１内（反自由端部側）の端部に設けられたピストンパッド３４と、シリンダケース３１の一端部との間に、圧縮コイルバネであるコイルスプリング３２が配設されている。
【００２４】
そして、図２に示すように、ノッチ２ａ、２ａを起点として取付金具２の垂直部２５が破断すると、ダンパ３が作動して伸長する。つまり、送電線Ｌからの張力・外力によって、コイルスプリング３２が圧縮されてロッド３３がシリンダケース３１の一端部から伸びる。このようにしてダンパ３が伸長して水平部２１、２２間が離れることで、送電線免震装置１に連結されている碍子Ｇの位置が伸びて（プレートＰから離れて）、送電線Ｌの弛み度（垂れ下がり量）が増加するものである。
【００２５】
ここで、ダンパ３が伸びる長さ、つまり、ロッド３３の伸びる長さ（自由長）は、送電線Ｌの弛み度の増加量に反映される。このため、ダンパ３が作動しても、隣接する上下の送電線Ｌに接触して短絡が生じないように、この自由長が設定されている。一方、鉄塔や碍子Ｇなどの保護を優先する場合には、上下の送電線Ｌに接触する以上に自由長を設定してもよい。
【００２６】
また、コイルスプリング３２は、送電線Ｌの揺れに伴って伸縮することで、送電線Ｌからの張力（応力）を吸収して、揺れを抑制する役割を備え、コイルスプリング３２の強度（ばね係数）やダンパ３の数は、想定される送電線Ｌにかかる張力に応じて設定されている。
【００２７】
次に、このような構成の送電線免震装置１の作用などについて説明する。
【００２８】
まず、送電線免震装置１を、例えば、鉄塔の腕金の先端部に取り付けられたプレートＰと、送電線Ｌを連結する碍子Ｇとの間に設置する。すなわち、第１のＵ字ボルト２３を介してプレートＰに接続するとともに、第２のＵ字ボルト２４を介して碍子Ｇの他端部Ｇ２に接続することで、送電線免震装置１を設置する。
【００２９】
このような設置状態で、地震などが発生して所定の外力が送電線Ｌ、碍子Ｇおよび送電線免震装置１にかかると、図２に示すように、ノッチ２ａ、２ａを起点として取付金具２の垂直部２５が破断し、ダンパ３が作動して伸長する。すなわち、コイルスプリング３２が圧縮されてロッド３３がシリンダケース３１から伸び、送電線免震装置１に連結されている碍子Ｇの位置が、鉄塔から離れて、送電線Ｌの弛み度が増加する（垂れ下がる）ものである。
【００３０】
以上のように、この送電線免震装置１によれば、地震、暴風雨の発生や着雪などによって、所定の外力が送電線Ｌ、碍子Ｇおよび送電線免震装置１にかかると、ダンパ３が延びて送電線Ｌの弛み度が増加する。そして、送電線Ｌの弛み度が増して垂れ下がると、送電線Ｌを伝わる力が低下するため（張力が伝わりにくくなるため）、送電線Ｌに過大な張力がかかって碍子Ｇが損傷したり、鉄塔が損傷や倒壊したりするのを防止・抑制することが可能となる。この結果、地震等が発生しても、停電することなく送電を継続することが可能となる。
【００３１】
また、送電線免震装置１が取付金具２とダンパ３とを備えるだけであり、しかも、ダンパ３の両端部が垂直部２５によって保持されて、垂直部２５が破断するとダンパ３が伸長するだけであるため、構成が簡易である。この結果、小型化、軽量化が可能となり、また、製作費を低減することが可能となる。
【００３２】
（実施の形態２）
図３は、この実施の形態に係る送電線免震装置１を示す正面図である。この実施の形態では、垂直部（弱点部）１２３がダンパ３に対して着脱自在となっている点で、実施の形態１と構成が異なり、実施の形態１と同等の構成については、同一符号を付することで、その説明を省略する。
【００３３】
取付金具２は、第１の水平部１２１と、第１の水平部１２１に対向する第２の水平部１２２と、水平部１２１、１２２を連結し水平部１２１、１２２にほぼ垂直な垂直部（弱点部）１２３の、３ピースで構成されている。そして、ボルト、ナットなどを介して、垂直部１２３が水平部１２１、１２２に着脱自在に接続されている。また、実施の形態１と同様に、ダンパ３の両端部（ロッド３３の自由端部とシリンダケース３１の他端部）が、水平部１２１、１２２に接続されている。このようにして、水平部１２１、１２２を介して、垂直部１２３がダンパ３に対して着脱自在となっている。
【００３４】
この実施の形態によれば、送電線免震装置１が作動した後においても、送電線免震装置１を再利用することが可能となる。すなわち、垂直部１２３がダンパ３に対して着脱自在なため、垂直部１２３が破断しても、ダンパ３や水平部１２１、１２２を再利用することができる。このため、垂直部１２３のみを取り替えるだけでよく、送電線免震装置１全体を取り替える必要がなく、経済性が高まる。
【００３５】
以上、この発明の実施の形態について説明したが、具体的な構成は、上記の実施の形態に限られるものではなく、この発明の要旨を逸脱しない範囲の設計の変更等があっても、この発明に含まれる。例えば、プレートＰと碍子Ｇとの間に送電線免震装置１を設置する場合について説明したが、保護対象などに応じて、プレートＰとヨークとの間や鉄構と碍子Ｇとの間などに、送電線免震装置１を設置するようにしてもよい。
【００３６】
また、上記の実施の形態では、取付金具２の平面形状が略「エ」字状となっているが、その他の形状であってもよい。例えば、略「コ」字状とし、コ字の垂直部を弱点部として、コ字の開口部に（垂直部に平行して）ダンパ３を配設するようにしてもよい。また、ダンパ３がバネ式であるが、空圧式や油圧式などであってもよい。
【符号の説明】
【００３７】
１        送電線免震装置
２        取付金具
２１、２２  水平部
２５      垂直部（弱点部）
１２３    垂直部（弱点部）
２ａ      ノッチ
３        ダンパ
３１      シリンダケース
３２      コイルスプリング
３３      ロッド
Ｌ        送電線
Ｇ        碍子
Ｇ１      一端部
Ｇ２      他端部
【図１】
2016149829.tif 000003
【図２】
2016149829.tif 000004
【図３】
2016149829.tif 000005